(57)【要約】【課題】目的の番組をスムーズに選局することができるデジタル放送受信装置を提供する。【解決手段】  放送局情報取得部１０７はＰＳＩ／ＳＩに記載されたサービス識別から地域識別を検出する。地域推定部１０９はスキャン結果の放送局リストから地域識別に基づき受信地域を特定する。選局リスト管理部は前記地域推定部で特定した受信地域とユーザ設定地域管理部より取得したユーザ設定地域情報を比較し、一致する場合はリモコンキーＩＤベースの選局ＩＦを提供し、一致しない場合は系列識別ベースの選局ＩＦを提供することで、目的の番組を実施している放送局をユーザがスムーズに選局できることを実現する。【選択図】図１
2013198091.tif 000002
【特許請求の範囲】
【請求項１】
所定のデジタル放送局を選局する選局手段と、
この選局手段から出力される信号に復調処理を施す復調手段と、
この復調手段で復調された信号から特定の放送局情報を抽出する放送局情報取得手段と、
前記放送局情報取得手段により取得した放送局情報から現在の受信可能放送局のリストを構築管理する放送局リスト管理部と、
現在の受信地域を推定する地域推定部と、
ユーザが設定したホーム地域を管理するユーザ設定地域管理部と、
前期地域推定部から取得した受信可能地域と前期ユーザ設定地域管理部で設定されているホーム地域情報を比較し、一致する場合はリモコンキーＩＤベースの選局用リストを、一致しない場合は系列識別ベースの選局用リストを作成する選局リスト管理部と、
前記選局リスト管理部で作成された選局用リストを表示する入力画面表示部とを備えたことを特徴とするデジタル放送受信装置。
【請求項２】
前記入力画面表示部はリモコンキーＩＤベースの選局用リストと系列識別ベースの選局用リストを切替えるキーを表示し、ユーザがそのキーを操作することで自由に選局ＩＦを切替え可能なことを特徴とする、請求項１に記載のデジタル放送受信装置。
【請求項３】
現在の受信地域を推定する地域推定部と、ユーザが設定したホーム地域を管理するユーザ設定地域管理部と、入力画面表示部とを備えており、
前記入力画面表示部は、
前記地域推定部により推定された現在の受信地域が、
前記ホーム地域であるときは、前記入力表示部にリモコンキーＩＤベースの選局用リストを表示し、
前記ホーム地域でないときは、系列識別ベースの選局用リストを表示することを特徴とするデジタル放送受信装置。
【請求項４】
前記地域推定部は、地上デジタル放送の適用範囲である物理チャネルのスキャンを行った結果として得られた放送局リストにおいてカウント数が最大の地域を現在の受信地域と推定するものであることを特徴とする請求項３に記載のデジタル放送受信装置。
【請求項５】
前記地域推定部により推定された現在の受信地域がホーム地域である場合において、
得られた前記放送局リストにリモコンキーＩＤの同じ放送局が存在するときには、
前記地域推定部により推定された現在の受信地域の放送局に対して前記リモコンキーＩＤを割り当てる放送局リスト管理部を備えていることを特徴とする請求項４に記載のデジタル放送受信装置。
【請求項６】
前記放送局リスト管理部が、
得られた前記放送局リストにリモコンキーＩＤの同じ放送局が存在しないときには、
前記地域推定部により推定された現在の受信地域以外の地域の放送局に対しても前記リモコンキーＩＤを割り当てることを特徴とする請求項５に記載のデジタル放送受信装置。
【発明の詳細な説明】
【技術分野】
【０００１】
本発明は、デジタル放送受信装置に関し、とくに地域間を移動した場合のチャンネル選局を行うために好適なデジタル放送受信装置に関する。
【背景技術】
【０００２】
近年デジタルの地上波放送が開始された。この放送には、受信波の干渉に強いＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ（「直交周波数分割多重方式」、以下「ＯＦＤＭ」。）という放送方式が用いられている。この方式は受信状態が時々刻々と変化する移動体中でのテレビ受信に好適である。
【０００３】
この技術のおかげで、ユーザは、車中においても、鮮明な画質でテレビ視聴を楽しめるようになった。また、デジタル放送では、従来のアナログ放送より、多チャンネルの放送が可能であるため、ユーザは、車中においても家庭用テレビ（以下「固定受信機」。）に近いデジタル放送の高い質と量の、番組を受信することが可能になった。
しかし、移動する車の中と動かない家の中という環境の違いにより以下の３点で、家庭用テレビと同じわけには行かない。
【０００４】
第１は、車中において、多チャンネルサービスを受けることが可能になってきたので、どのようにして多くの番組の中から所望の番組を選択するかという点である。
従来、固定受信機では、多チャンネル放送における選局手段として、すでにＥｌｅｃｔｒｉｃ  Ｐｒｏｇｒａｍ  Ｇｕｉｄｅ（以下「ＥＰＧ」。）を使った選局方法が普及してきている。この技術は新聞のラテ欄と同じような画面を見ながら選局等の操作ができる点で、非常に使いやすい。
しかし、車の中のようにテレビのために十分なスペースを確保できない場所では、画面サイズは小さくならざる得ないため、ＥＰＧでの各番組の情報は、小さくなりすぎ、却って選局しづらい。すなわち、車載用テレビには、車中で多チャンネル放送を選局するのに適した選局方法の発明が望まれる。
【０００５】
第２は、車は移動するので、地上波の放送エリアをまたがる機会が非常に多いという点である。地上波では、１つの放送局から放送される電波の到達範囲には限りがある。１つの放送局がカバーする範囲を放送エリアという。一般的に各放送エリアは、使用する物理チャンネルが異なる。そのため、受信機は、放送エリア毎にチャンネルプリセットを行う。固定受信機では、設置の際にプリセットを行う。そして固定受信機は、その位置を変更する機会は、きわめて少ないので、１度プリセットした後は、ほとんどプリセットを行う必要はない。なお、物理チャンネルとは、放送波の実際の周波数若しくは実際の周波数に対応した番号をいう。
【０００６】
第３は、車の安全性を確保する為に、選局操作をシンプルなものとする必要がある点である。走行中の画面操作は、たとえ少ない時間であっても可能な限り避けることが求められている。
しかし、車の場合は、移動するためエリアをまたがる毎にプリセットをやり直さなければならない。プリセットのやり直しを頻繁に行わなければならないということは、次のような不便さを生じさせる。各放送エリアでは、物理チャンネルが異なるだけでなく、その放送内容も異なる。そのため、プリセットを行うと、視聴中であった番組は他のチャンネルに移っている場合が多い。つまり、車載用テレビで同一番組を連続視聴するには、エリアをまたがる毎に、先ほどまで見ていた番組を再度探さなければならない。
【０００７】
以上の点を解決する手段として、各放送エリアの受信可能な放送局とそのチャンネル番号および周波数を記憶させたデータベースをあらかじめ構築し、ＧＰＳからの位置情報と合わせてその地域で受信可能な放送局を特定することで、受信地域が変わってもプリセットしていた放送局または同じ系列の放送局を同じ選局キーにプリセットする発明が開示されている（特許文献１参照）。
【０００８】
以下にデジタルＴＶにおけるチャンネルプリセット技術とともに、特許文献１の内容について概観しておく。
放送受信機におけるチャンネルプリセット機能は、ユーザが放送受信機に対して選択することのできるリモコンなどの選局手段が持つ複数のキーそれぞれ（以後「選局キー」。）に、受信可能な放送局の物理チャンネルを自動的に割り当てる機能である。すなわち、この機能を動作させた後、ユーザは、選局キーを操作するだけで、所望の放送局を選局できる。選局キーの操作とは、通常は選局キーを押し下げることである。
【０００９】
従来のアナログテレビ放送では、受信機は物理チャンネルを順番に選局し、映像信号を復調できるチャンネルをユーザが選択可能なチャンネル番号に自動的に割り付ける機能が実現されていた。この方法では、放送受信機の各メーカーが予め決めておいたルールに従って、復調できた物理チャンネルをユーザの選択可能なチャンネル番号に割り当てられていた。
【００１０】
デジタル放送では、放送波の中に映像と音声の信号以外のさまざまな付加的な情報を含ませることができる。このため、放送する側が、自分の放送をユーザの放送受信機において、何番の選局キーにセットして欲しいかという情報が放送波の中に重畳されている。
この情報はリモコンキーＩＤ（ｒｅｍｏｔｅ＿ｃｏｎｔｒｏｌ＿ｋｅｙ＿ｉｄ）と呼ばれる情報である。例えば、Ａ放送局のリモコンキーＩＤが「１」ならば、選局キー「１」にＡ放送局を割り当ててほしい、ということを意味する。このリモコンキーＩＤに従ってチャンネルプリセットを行う受信機は、どのメーカーの受信機であっても、Ａ放送局の物理チャンネルの番号によらず、「１」の選局キーに割り当てられる。現在の家庭用のデジタル放送受信機では、リモコンキーＩＤを利用したチャンネルプリセット方法を採用している場合が多い。
【００１１】
特許文献１は、ＧＰＳからの位置情報と放送エリア毎の放送局とその系列情報を有するデータベースを用い、走行によって放送エリアが変わると、データベース中の系列局の情報に基づいて、従前と同じ選局キーに割り当てる技術を開示している。このようにすることで、プリセットの煩雑さと、車載テレビにおけるユーザの選局時の負担を軽減することができる。
【先行技術文献】
【特許文献】
【００１２】
【特許文献１】特開平１１−３３１７１７号公報
【発明の概要】
【発明が解決しようとする課題】
【００１３】
しかしながら、特許文献１の技術の場合、リモコンキーＩＤどおりの割り当てとはならないことも多い。このため、見知らぬ土地では有効に機能するが、例えばユーザの出身地など慣れ親しんでいる土地においては、家庭用のデジタル放送受信機と選局キーに割り当てられる放送局が異なることが生じる。このことによって、普段と勝手が違い、選局がしづらくなるという課題がある。
【課題を解決するための手段】
【００１４】
上記課題を解決する手段として、本発明のデジタル放送受信装置は、所定のデジタル放送局を選局する選局手段と、この選局手段から出力される信号に復調処理を施す復調手段と、この復調手段で復調された信号から特定の放送局情報を抽出する放送局情報取得手段と、前記放送局情報取得手段により取得した放送局情報から現在の受信可能放送局のリストを構築管理する放送局リスト管理部と、現在の受信地域を推定する地域推定部と、ユーザが設定したホーム地域を管理するユーザ設定地域管理部と、前期地域推定部から取得した受信可能地域と前期ユーザ設定地域管理部で設定されているホーム地域情報を比較し、一致する場合はリモコンキーＩＤベースの選局用リストを、一致しない場合は系列識別ベースの選局用リストを作成する選局リスト管理部と、前記選局リスト管理部で作成された選局用リストを表示する入力画面表示部とを備えて構成されている。
【００１５】
上記の構成により、ホーム地域においては家庭用のデジタル放送受信機で利用しているリモコンキーＩＤベースの選局リストを表示し、ホーム地域以外では、ユーザが系列局と番組の関連性が高いことを利用し、各系列局ごとにリスト化した選局用リストを表示することができる。これにより、ユーザの操作を必要とせず、ユーザはリモコンキーＩＤの割り当てイメージを意識することなく、目的の番組を選局することが可能となる。
【発明の効果】
【００１６】
本発明によれば、ホーム地域においては、リモコンキーベースの選局ＩＦを、ホーム地域以外の地域では系列局ベースの選局ＩＦを自動的に利用可能となり、ユーザが望む放送局をスムーズに選局可能となる効果を奏する。
【図面の簡単な説明】
【００１７】
【図１】第１の実施形態におけるデジタル放送受信装置の構成図
【図２】サービス識別の構造
【図３】地域識別コード
【図４】スキャン結果による放送局リストの一例
【図５】スキャン動作の全体フローチャート
【図６】選局リスト作成のフローチャート
【図７】石川県エリアにてスキャンを行った結果の放送局リストの一例
【図８】リモコンキーＩＤベースの選局ＩＦイメージ図
【図９】リモコンキーＩＤベースの選局リストの一例（石川エリア放送局のみ対象）
【図１０】リモコンキーＩＤベースの選局リストの一例（受信可能放送局を対象）
【図１１】系列識別ベースの選局ＩＦイメージ図
【図１２】系列識別ベースの選局リストの一例（石川エリア放送局のみ対象）
【図１３】系列識別ベースの選局リストの一例（受信可能放送局を対象）
【図１４】系列識別ベースの選局リストの一例（独立ＵＨＦ局を含む）
【発明を実施するための形態】
【００１８】
以下、本発明の実施の形態について、図面を用いて説明する。図１は、この実施の形態で説明するデジタル放送受信機を示している。すなわち、地上デジタル放送用受信アンテナ１０１で受信された放送信号は、地上デジタル放送用チューナ部１０２に供給されて指定された物理チャンネルの信号が選局される。
【００１９】
放送信号はＯＦＤＭ（Ｏｒｔｈｏｇｏｎａｌ  Ｆｒｅｑｕｅｎｃｙ  Ｄｉｖｉｓｉｏ  Ｍｕｌｔｉｐｌｅｘｉｎｇ）方式で伝送されており、復調部１０３でＴＳ（Ｔｒａｎｓｐｏｒｔ  Ｓｔｒｅａｍ）パケットに復調される。
【００２０】
復調されたＴＳパケットは多重分離部１０４で、各ＴＳパケットに付加されているパケットＩＤ（ＰＩＤ）を識別し、選局情報であるＰＳＩ／ＳＩや映像、音声等のＥＳ（Ｅｌｅｍｅｎｔａｒｙ  Ｓｔｒｅａｍ）を抽出する。
【００２１】
映像、音声等のＥＳは復号部１０５にて復号化処理を施してデジタル映像信号及びデジタル音声信号を生成され、出力部１０６にて映像が表示され、音声は出力される。
ＰＳＩ／ＳＩなどのセクションデータにはＮＩＴ（Ｎｅｔｗｏｒｋ  Ｉｎｆｏｍａｔｉｏｎ  Ｔａｂｌｅ）が含まれ、ＮＩＴにはＴＳＩＤ（Ｔｒａｎｓｐｏｒｔ  Ｓｔｒｅａｍ  ＩＤ）やＴＳ名（放送局名）、サービス識別、リモコンキーＩＤと呼ばれる識別子が記載されている。
【００２２】
サービス識別は図２のような１６ｂｉｔの構成となっており、放送対象となっている地域を識別する地域識別や放送を行なっている事業者を識別する地域事業者識別などのサブフィールドに分かれており、これらを元に日本国内すべての放送局が提供するサービスをユニークに識別できるようになっている。
【００２３】
地域識別は図３のように地域毎に値が割り当てられており、０〜９の値は関東／近畿／中京など複数県にまたがる広域放送が、１０〜６３の値は各都道府県内で行なわれる県域放送が使用する。
【００２４】
放送局情報取得部１０７ではＮＩＴやＢＩＴなどのセクションデータより放送局名やサービス識別、系列識別、地域識別などを抽出する。
放送局リスト管理部１０８では放送局情報取得部１０７で抽出された情報を、選局対象の放送局としてリスト化し管理を行う。図４は富山県エリアを例とした放送局リストの管理例である。
地域推定部１０９は放送局情報取得部１０７で抽出された地域識別、及びＧＰＳ部１１０で取得した緯度・経度情報などを元に、現在地域情報を推定する。
【００２５】
選局リスト管理部１１１は放送局リスト管理部１０８で管理されている放送局リスト、地域推定部１０９で推定された現在地域情報、及びユーザ設定地域管理部１１２で管理されているユーザ設定地域情報を元に、受信地域に該当する選局用リストを作成する。この際、現在地域情報とユーザ設定地域情報が同じ場合は、リモコンキーＩＤをベースとした選局用リストを作成し、現在地域情報とユーザ設定地域情報が異なる場合は、系列局をベースとした選局用リストを作成する。
また、後述する入力画面表示部１１３から入力される選択データを元に選局する放送局またはサービスを特定し、選局データを制御部１１４に通知する。
【００２６】
入力画面表示部１１３は選局リスト管理部で作成された選局用リストを元に画面を描画し、ユーザ操作を受け付ける。ユーザ操作を受け付けた結果の選択データは選局リスト管理部へ通知を行う。
制御部１１４は選局リスト管理部１１１より入力された選局データを元に、選局対象の物理チャンネルをチューナ部１０２に指定することでユーザの望む放送局の選局を実施する。
【００２７】
次に、本実施形態のデジタル放送受信機による地上デジタル放送における選局用リスト作成について説明する。
選局用リスト作成においては、図５に示すとおり、地上デジタル放送の運用範囲である物理１３ＣＨから物理６２ＣＨに対して順次スキャンを行う。
ステップＳ２０１において、制御部１１４は、最小物理チャンネルである１３ＣＨをチューナ部１０２に設定し、ステップＳ２０２に進む。
【００２８】
ステップＳ２０２において、デジタル放送受信機は、現在の物理チャンネルでデジタル放送を受信することが出来るか否かを復調部１０３から取得する同期検波情報で判断する。
デジタル放送受信機は、同期検波情報が同期でない場合、現在の物理チャンネルでデジタル放送を受信できないと判定し、ステップＳ２０５へと進む。同期検波情報が同期であった場合は放送が受信できているのでステップＳ２０３へ進み、放送局情報取得部１０７でＴＳ名や地域識別などの放送局情報を取得しステップＳ２０４へ進む。
【００２９】
ステップＳ２０４では、放送局リスト管理部１０８がステップＳ２０３で取得した放送局情報を放送局リストとして管理し、ステップＳ２０５へと進む。
ステップＳ２０５ではデジタル放送の運用範囲の最大物理チャンネルである６２ＣＨに到達しているかを判断し、６２ＣＨに到達していない場合はステップＳ２０６へと進む。
【００３０】
ステップＳ２０６において、制御部１１４は、現状設定されている物理チャンネルをひとつ繰り上げてチューナ部１０２に設定し、ステップＳ２０２へと戻る。ステップＳ２０５にて物理周波数６２ＣＨに到達している場合は、ステップＳ２０７へと進む。
【００３１】
ステップＳ２０７は本発明で新規に追加されたブロック（プロセス、工程）である。このステップ２０７において、選局リスト管理部１１１は、上述したステップＳ２０１〜ステップＳ２０６のスキャン結果により、放送局リスト管理部１０８が取得した放送局リストを、ＧＰＳ部１１０で取得した緯度・経度情報などを元に地域推定部１０９が推定した現在地域情報、およびユーザ設定地域管理部１１２で管理されているユーザ設定地域情報などより、現在の受信地域における適切な選局リストを作成し、ユーザへ提示を行う。ステップＳ２０７の詳細処理を図６に示す。
【００３２】
ステップＳ４０１では放送局情報取得部１０７より取得した地域識別情報や、ＧＰＳ部１１０より取得した緯度・経度情報より、現在の受信地域を特定する。この受信地域の特定処理は、この例に限る必要はなく、他の方法を用いてもよい。図７は石川県エリアにてスキャンを行った結果の放送局リストの例であり、地域識別３７（富山）のカウントは２、地域識別３４（石川）のカウントは６となり、受信地域が石川と特定できる。
【００３３】
ステップＳ４０２では特定した現在の受信地域とユーザ設定地域が一致するかを確認し、一致する場合は現在地域がホーム地域（ホームエリア）とみなし、ステップＳ４０３へ進み、一致しない場合は現在地域をホーム地域以外とみなし、Ｓ４０４へ進む。ユーザ設定地域情報は、ユーザ設定地域情報管理部１１２より情報取得することで分かる。
【００３４】
ステップＳ４０３では選局キー「１」から「１２」で選局を行うＩＦ（インターフェース）を想定し、それぞれの選局キーに対し、リモコンキーＩＤの情報を紐付けて選局リストを作成する。
【００３５】
図８はリモコンキーＩＤベースのＩＦイメージ図である。ユーザは選局キーを操作することで、そこに紐付いている放送局の選局を実施する。
図９はユーザ設定地域情報が地域識別３４（石川）であったと想定した場合の図７の放送局リストをベースに選局キーへの紐付けを表した選局リストとなる。リモコンキーＩＤが被っている放送局に関しては、現在受信地域ということを優先し、地域識別３４（石川）の放送局を選局キーに割り当てている。この例においては優先度が低い地域識別３７（富山）の放送局に関して割り当てがされていないが、図１０で示すように、空いている選局キーが存在する場合は、そこに割り当てを行っても構わない。これらは一般的な家庭用ＴＶで利用されるリモコンＩＦを想定しており、ユーザ設定地域内においては家庭用ＴＶと同等の操作間で利用することを可能としている。
【００３６】
ステップＳ４０４では系列局選択キーで選局を行うＩＦを想定し、それぞれの系列局選択キーに対し、系列識別の情報を紐付けて選局リストを作成する。
図１１は系列識別ベースのＩＦイメージ図である。ユーザは系列局選択キーを操作することで、そこに紐付いている放送局の選局を実施する。
図１２はユーザ設定地域情報のホーム地域が地域識別３７（富山）であったと想定した場合の図７の放送局リストをベースに選局キーへの紐付けを表した選局リストとなる。リモコンキーＩＤが被っている放送局に関しては、現在受信地域ということを優先し、地域識別３４（石川）の放送局を選局キーに割り当てている。この例においては優先度が低い地域識別３７（富山）の放送局に関して割り当てがされていないが、図１３で示すように、同じ系列局選択キーに割り当てを行っても構わない。この場合は選択される度に、紐付けされている放送局をトグルに選局するなどで対応を行う。
【００３７】
また、放送大学や神奈川テレビのように独立ＵＨＦ局は、その他などに割り当てることで対応を行う。図１４は神奈川における系列識別ベースの選局リストである。独立ＵＨＦ局であるｔｖｋ（神奈川テレビ）及び放送大学をその他に割り当てられている。
【００３８】
ユーザの活動地域であるホーム地域外ではリモコンキーＩＤベースであると、目的の放送局がどのキーに割当たっているのかを判断できない場合が非常に多いと想定されるため、通常同じ番組を放送している可能性の高い系列放送局を容易に選局できることで、目的の番組をスムーズに選局できることを可能としている。
【００３９】
このように、地域識別を利用し受信地域を特定し、ホーム地域においては家庭用のデジタル放送受信機で利用しているリモコンキーＩＤベースの選局手段を、ホーム地域以外では、系列局同時で同じ番組の可能性が高いことを利用し、各系列局ごとにリスト化することにより、選局キーへの割り当てイメージを意識することなく、目的の番組をスムーズに選局することができる選局手段を、ユーザ操作不要で提供することを可能とする。
【００４０】
尚、図８及び図１１の選局ＩＦイメージ図には選局モード切替キーを配置しているが、このキーを選択することでユーザ操作による選局ＩＦ変更を実施できてもよい。この手段を用意することで、ホーム地域以外ではあるがユーザが慣れ親しんだ地域などではリモコンキーＩＤベースのＩＦを利用することでよりユーザの使用状況に沿った選局が可能となる。
【産業上の利用可能性】
【００４１】
以上のように、本発明にかかるデジタル放送受信装置は、受信地域が変更となる携帯端末や車載器向けなどの移動を伴う地上デジタルテレビ受信機に対し非常に有用である。
【符号の説明】
【００４２】
１０１  受信アンテナ
１０２  チューナ部
１０３  復調部
１０４  多重分離部
１０５  復号部
１０６  出力部
１０７  放送局情報取得部
１０８  放送局リスト管理部
１０９  地域推定部
１１０  ＧＰＳ部
１１１  選局リスト管理部
１１２  ユーザ設定地域管理部
１１３  入力画面表示部
１１４  制御部
【図１】
2013198091.tif 000003
【図２】
2013198091.tif 000004
【図３】
2013198091.tif 000005
【図４】
2013198091.tif 000006
【図５】
2013198091.tif 000007
【図６】
2013198091.tif 000008
【図７】
2013198091.tif 000009
【図８】
2013198091.tif 000010
【図９】
2013198091.tif 000011
【図１０】
2013198091.tif 000012
【図１１】
2013198091.tif 000013
【図１２】
2013198091.tif 000014
【図１３】
2013198091.tif 000015
【図１４】
2013198091.tif 000016